(57)【要約】【課題】  光ディスクの利便性を向上する。特に書き換え可能ディスクの書き換え回数管理、ライトストラテジ情報の保存、ファイル管理情報のバックアップ、ディスク種別判別の高速化など、光ディスク一般に共通の利便性の向上を課題とする。【解決手段】  無線ＩＣチップを埋め込んだ光ディスクと、リーダーを備えた光ディスクドライブを用い、前記光ディスクドライブがリーダーによって無線ＩＣチップに管理情報を読み書きし、前記光ディスクドライブが光学的に情報を記録、再生する際に前記管理情報を利用する。これにより、光ディスク一般に共通の利便性を向上できる。【選択図】  図１
2007018634.tif 000002
【特許請求の範囲】
【請求項１】
無線通信によって情報の読み出しが可能な無線ＩＣチップを備えた光ディスクから光学的に情報を記録、再生する光ディスクドライブであって、
前記光ディスクの管理情報を記憶する領域を有する前記無線ＩＣチップから情報を読み出すリーダーを有し、前記光ディスクへの光学的な読み書きを処理する際に、前記リーダーを用いて読み出した前記管理情報を利用することを特徴とする光ディスクドライブ。
【請求項２】
無線通信によって情報の読み出しが可能な無線ＩＣチップを備えた光ディスクから光学的に情報を記録、再生する光ディスクドライブであって、
前記光ディスクの管理情報を記憶する領域を有する前記無線ＩＣチップに情報の記憶、再生を行うリーダーを有し、前記光ディスクへの光学的な読み書きを処理する際に、前記リーダーを用いて記憶、再生した前記管理情報を利用することを特徴とする光ディスクドライブ。
【請求項３】
前記光ディスクの光学的な書き換え処理を行うたびに、前記管理情報として前記光ディスクの光学的な書き換え回数が記憶された無線ＩＣチップに、前記書き換え回数をインクリメントして書き戻すことを特徴とする請求項２記載の光ディスクドライブ。
【請求項４】
前記光ディスクへの光学的な書き込み処理は、前記管理情報として光ディスクのライトストラテジが記憶された無線ＩＣチップから読み出したライトストラテジに従って行うことを特徴とする請求項１または２のいずれかに記載の光ディスクドライブ。
【請求項５】
前記管理情報として光ディスクのファイルアクセス管理情報を前記無線ＩＣチップに記憶し、前記光ディスク上に光学的に記録したファイルアクセス管理情報が使用できない場合には、前記無線ＩＣチップから読み出したファイルアクセス管理情報を利用してファイルの読み書きを行うことを特徴とする請求項２記載の光ディスクドライブ。
【請求項６】
前記光ディスクが前記光ディスクドライブに挿入された際に、前記管理情報として光ディスクのディスク種別情報が記憶された無線ＩＣチップから読み出したディスク種別情報によってディスク種別を判別することを特徴とする請求項１または２のいずれかに記載の光ディスクドライブ。
【請求項７】
無線通信によって情報の読み出しが可能な無線ＩＣチップを備えた光ディスクであって、
前記無線ＩＣチップには前記光ディスクの管理情報を記憶する領域を有し、
前記光ディスクから光学的に情報を記録、再生する光ディスクドライブの無線ＩＣチップリーダーから、前記管理情報を読み出されて、光学的な情報の記録、再生に利用されることを特徴とする光ディスク。
【請求項８】
無線通信によって情報の読み出しが可能な無線ＩＣチップを備えた光ディスクであって、
前記無線ＩＣチップには前記光ディスクの管理情報を記憶する領域を有し、
前記光ディスクから光学的に情報を記録、再生する光ディスクドライブの無線ＩＣチップリーダーから、前記管理情報の記憶または再生処理を行われることによって、光学的な情報の記録、再生処理に利用されることを特徴とする光ディスク。
【請求項９】
前記光ディスクの光学的な書き換え処理が行われるたびに、前記管理情報として前記光ディスクの光学的な書き換え回数が記憶された無線ＩＣチップに、前記光ディスクドライブにより書き換え回数がインクリメントされて書き戻されることを特徴とする請求項８記載の光ディスク。
【請求項１０】
前記光ディスクへの光学的な書き込み処理は、前記管理情報として光ディスクのライトストラテジが記憶された無線ＩＣチップから読み出されたライトストラテジに従って前記光ディスクドライブにより行われることを特徴とする請求項７または８のいずれかに記載の光ディスク。
【請求項１１】
前記光ディスク上に光学的に記録したファイルアクセス管理情報が使用できない場合には、前記管理情報として光ディスクのファイルアクセス管理情報が記憶された無線ＩＣチップから読み出されたファイルアクセス管理情報を利用されて前記光ディスクドライブによりファイルの読み書きを行われることを特徴とする請求項８記載の光ディスクドライブ。
【請求項１２】
前記光ディスクが前記光ディスクドライブに挿入された際に、前記管理情報として光ディスクのディスク種別情報が記憶された無線ＩＣチップから読み出されたディスク種別情報によって前記光ディスクドライブによりディスク種別を判別されることを特徴とする請求項７または８のいずれかに記載の光ディスクドライブ。
【発明の詳細な説明】
【技術分野】
【０００１】
本発明は、ＲＦＩＤや非接触ＩＣカードなどの無線通信を行うＩＣチップと、光ディスクおよび光ディスクドライブに関する。
【背景技術】
【０００２】
従来より、ＲＦＩＤや非接触ＩＣカードなど、無線によってＩＣチップとデータ通信を行う技術がある。これらの技術は、読み取り装置（以下、書き込み能力のあるものも含めてリーダーと呼ぶ）とＩＣチップとの間を無線で通信を行う点が共通しているが、ＩＣチップ側の機能としては、リーダーからの問い合わせに対して固定の情報を返答するもの、リーダーによって情報を読み書きできるもの、リーダーから送られた情報を計算処理して返答するものなど、いくつかの種類があり、呼び方も異なる。
【０００３】
本発明では、これらの技術を総称して無線ＩＣチップと呼ぶことにする。
無線ＩＣチップを応用した技術は数多く提案されているが、その中にＣＤやＤＶＤなどの光ディスクに無線ＩＣチップを埋め込み、利便性の向上を図る技術がある。
【０００４】
例えば特許文献１では、無線ＩＣチップをＤＶＤ−ＲＡＭディスクに埋め込み、目的のＤＶＤ−ＲＡＭを容易に見つけ出す技術を提案している。この技術では、ディスクを識別する情報を書き込んだ無線ＩＣチップをＤＶＤ−ＲＡＭに埋め込み、ＤＶＤ−ＲＡＭを探す際には、リーダーによって非接触でＤＶＤ−ＲＡＭの識別情報を読み取る。これにより、ＤＶＤ−ＲＡＭを一枚一枚ＤＶＤドライブにかけなくとも目的のＤＶＤ−ＲＡＭを探し出せる。
【０００５】
また、特許文献2では、 光ディスクのカートリッジにＩＣメモリを埋め込み、目的の光ディスクを容易に見つけ出す技術を提案している。この技術では、光ディスクの本体ではなくカートリッジにＩＣメモリを埋め込み、またＩＣメモリのリーダーをＩＣメモリの端子に接触させて情報を読み取る点が特許文献1と異なる。また、さらに異なる点として、ＩＣメモリに記録する情報は、この技術以前には光ディスクのラベルに文字として書き込んでいた情報を、ＩＣメモリの容量に合わせてさらに詳細にＩＣメモリに記録し、これによりキーワード検索を可能にしている。
【０００６】
また、特許文献3では、光ディスクの不正コピーを防ぐために、復号キーを記録した無線ＩＣチップをDVDなどの光ディスクに埋め込む技術を提案している。この技術では、光ディスクに情報を暗号化して記録し、その暗号化された情報を復号化するための復号キーを無線ＩＣチップに記録して光ディスクに埋め込む。この光ディスクの所有者は、光ディスクの内容を読み出す際に無線ＩＣチップに記録された復号キーを用いて光ディスクの内容を複合化することができる一方、不正コピーした光ディスクには無線ＩＣチップが含まれないため、光ディスクの内容を正しく読み出すことができない。
上記の他に、無線ＩＣチップを埋め込んだ光ディスクを、流通などのさらに大きなシステムの一部として利用する技術が提案されている。
【０００７】
【特許文献１】特開２００２−２８８９６３号公報
【特許文献２】特開平５−１０９２３６号公報
【特許文献３】特開２００２−３７３０２９号公報
【発明の開示】
【発明が解決しようとする課題】
【０００８】
本発明は次の４つの課題を解決することを目的とする。
まず第１の課題は、光ディスクの書き換え回数の管理であり、以下にその詳細を述べる。
ＤＶＤ−ＲＷなどの書き換え可能な光ディスクは、その書き換え可能な回数が有限であり、スムーズな運用のためには光ディスク１枚ごとに書き換え回数を管理することが好ましい。しかし、台帳などで書き換え回数を管理するのは手間がかかり、また、他者と光ディスクを交換した場合に書き換え回数などの管理情報も交換する必要がある。そのため、光ディスク自体に書き換え回数などの管理情報を記録できることが望まれる。
しかし、ＤＶＤ−ＲＷの記録面に管理情報を記録した場合、書き換え回数が上限に近づくと管理情報自体の書き込み結果が不安定になり、書き換え回数が間違って記録される恐れがある。
本発明は、光ディスクの書き換え回数を記録する他の手段を提供することを第１の課題とする。
【０００９】
次に第２の課題は、光ディスクの特性の保存であり、以下にその詳細を述べる。
レーザー光線によって情報を書き込む光ディスクドライブでは、光ディスクの特性に合わせて書き込む際のレーザー光線の強弱を変更する事を行っており、そのレーザー光線の強弱のパターンをライトストラテジと呼ぶ。ライトストラテジは光ディスクに書き込まれたパラメータを元に算出し、そのパラメータは光ディスクが工場から出荷される際に書き込まれる。
しかし、光ディスクの製造上のばらつきや経年変化により光ディスクの実際の特性と書き込まれたパラメータが合致しないことがあり、そのような光ディスクを使用すると書き込みが失敗することがある。
そこで、一部の光ディスクドライブでは、光ディスクに書き込みを試行して、光ディスクの実際の特性を測定した後に本来の情報の書き込みを行っている。なおこの方法では、光ディスクの測定結果は保存されないため、複数回書き込みが可能な光ディスクであっても、毎回書き込みの試行を行っている。
本発明は、測定した光ディスクの特性を記録する手段を提供し、書き込みの試行を減らすことを第２の課題とする。
【００１０】
次に第３の課題は、ファイル管理情報のバックアップであり、以下にその詳細を述べる。
光ディスクに記録されるデータはファイルとして管理され、ディスク面上のファイルの書き込み位置などのファイル管理情報も光ディスク上に記録される。このファイル管理情報はファイルの読み書きにとって非常に重要であるため、ディスク上の２箇所に同じ内容のファイル管理情報を置くなどの措置がとられているが、同じ媒体上にあるため傷などによって２つとも利用できなくなる可能性がある。
本発明は、ファイル管理情報の複製をバックアップする他の手段を提供することを第３の課題とする。
【００１１】
次に第４の課題は、光ディスクの判別時間の短縮であり、以下にその詳細を述べる。
ＣＤやＤＶＤなどの複数の種類の光ディスクを読むことの出来る光ディスクドライブでは、ドライブに挿入された光ディスクの種類を判別するために、あらかじめ定められた手順で光学的な読み出しを試行する。この手順は長い場合で数十秒かかることもあり、ユーザーにとって不便となっている。
本発明は、光ディスクの種類を判別する他の手段を提供することを第４の課題とする。
本発明は上記４つの課題を解決することを目的とする。
【課題を解決するための手段】
【００１２】
本発明では、無線ＩＣチップを埋め込んだ光ディスクと、リーダーを備えた光ディスクドライブを用い、前記光ディスクドライブがリーダーによって無線ＩＣチップに管理情報を読み書きし、また前記光ディスクドライブがその処理に前記管理情報を利用することで前記課題を解決する。
前記管理情報は、光ディスクの書き換え回数、ライトストラテジに関わる光ディスクの特性、ファイル管理情報、光ディスクの種別のいずれかまたはこれらの組み合わせである。
【００１３】
本発明によれば、無線ＩＣチップに書き換え回数の情報を保存することで、ＤＶＤ−ＲＷ等の書き換え可能光ディスクの書き換え回数を管理できる。
また、本発明によれば、書き込み可能光ディスクのライトストラテジに関わる特性を無線ＩＣチップに保存することで、前記特性の測定を一度だけで済ませることができる。
また、本発明によれば、無線ＩＣチップにファイル管理情報の複製を保存することで、光ディスク上のファイル管理情報が失われた場合でも、光ディスクの読み書きが出来る。
また、本発明によれば、光ディスクの種別を判別する手順の代わりに、無線ＩＣチップに保存した光ディスクの種別を読み出すことで、光ディスクの判別にかかる時間を短縮できる。
【００１４】
なお、本発明で無線ＩＣチップに記録する管理情報は、光ディスクの通常の使用に必須なものではないため、本発明による光ディスクや光ディスクドライブと、本発明によらない通常の光ディスクや光ディスクドライブとを組み合わせて使用した場合でも、単に本発明による利点を得られないだけで、通常の光ディスクとして使用することができる。
また、本発明で無線ＩＣチップに記録する管理情報は、光ディスクドライブ内で処理し、パソコンなどの外部の機器に頼らずに課題を達成できる。
【発明の効果】
【００１５】
本発明によれば、光ディスク一般に共通の利便性を向上させることができる。
【発明を実施するための最良の形態】
【００１６】
以下、本発明の実施の形態について、図面を用いて説明する。
【実施例１】
【００１７】
以下、本発明の第１の実施例を、図１、図２および図３を用いて説明する。
図１は本発明による光ディスクドライブと光ディスクの構成の一実施例を示すブロック図であり、図２は本発明による光ディスクに埋め込まれた無線ＩＣチップの構成の一実施例を示すブロック図であり、図３は本実施例で光ディスクの制御手段が行う処理の一部を示すフローチャートである。
【００１８】
図１は、本発明による光ディスクドライブと光ディスクの構成の一実施例を示すブロック図であり、１は光ディスクドライブであり、２は光ディスクドライブ１に挿入された光ディスクであり、２１は光ディスク２に埋め込まれた無線ＩＣチップであり、１１は光ディスクドライブ１の動作を制御する制御手段であり、１１１は書き換え回数インクリメント手段であり、１２は光ディスク２を回転させるスピンドルモーターであり、１３は光ディスクに記録された情報を読み書きする光学ヘッド、サーボであり、１４は光ディスク２に埋め込まれた無線ＩＣチップに情報を読み書きするリーダーであり、１５は書き換え回数表示手段である。
【００１９】
図２は本発明による光ディスクに埋め込まれた無線ＩＣチップの構成の一実施例を示すブロック図であり、２１は無線ＩＣチップであり、２１１は無線通信手段であり、２１２は記憶手段であり、２１３は記憶手段２１２内の書き換え回数記憶領域である。
【００２０】
図３は本実施例の制御手段１１が行う処理の一部を示すフローチャートであり、Ｓ１１は処理であり、Ｓ１２は処理であり、Ｓ１３は処理であり、Ｓ１４は処理であり、Ｓ１５は処理であり、Ｓ１６は処理である。
【００２１】
次に図１、図２および図３を用いて、本発明による光ディスクドライブの一実施例の動作を説明する。
まず図１を用いて光ディスクドライブ１の動作を説明する。図１の光ディスクドライブ１は、パソコンなど（図示せず）から読み書きの指示があると、制御手段１１がスピンドルモーター１２や光学ヘッド、サーボ１３を制御し、光ディスク２の内容を読み書きする。この動作は、本発明によらない通常の光ディスクドライブと同じ動作である。
【００２２】
図１における本発明に特徴的な動作として、制御手段１１は、光ディスク２に埋め込まれた無線ＩＣチップ２１に記録された書き換え回数をリーダー１４を用いて読みだし、書き換え回数表示手段１５に表示する。また、光ディスクドライブ１が光ディスク２を書き換えた場合には、書き換え回数を書き換え回数インクリメント手段１１１によってインクリメントした後、無線ＩＣチップ２１に書き込む。
【００２３】
次に図２を用いて無線ＩＣチップ２１の動作を説明する。
無線ＩＣチップ２１は、無線通信手段２１１を用いてリーダー１４との間で無線通信を行い、リーダー１４から要求があると記憶手段２１２内の書き換え回数記憶領域２１３に保存された書き換え回数を読み出し、無線通信手段２１１によってリーダー１４に送る。
また、リーダー１４から書き換え回数が書き込まれた場合には、書き換え回数記憶領域２１３に保存する。
【００２４】
次に図３を用いて制御手段１１の動作を説明する。
制御手段１１は、本発明によらない通常の光ディスクドライブと同様に、スピンドルモーター１２や光ヘッド１３の動作を制御して光ディスクの読み書きの処理を行うとともに、以下に説明する書き換え回数の管理処理も行う。
制御手段１１は、書き換え回数の管理処理として、図３のフローチャートの処理を行い、まず処理Ｓ１１でリーダー１４を用いて光ディスク２の無線ＩＣチップ２１から書き換え回数Ｎを読み出す。
次に処理Ｓ１２でＮを書き換え回数表示手段１５を用いて表示する。次に処理Ｓ１３で、光ディスク２の書き換え処理を待ち受ける。
【００２５】
光ディスク２の書き換え処理があった場合には処理Ｓ１４に進み、書き換え回数インクリメント手段１１１によりＮに１を足して新しいＮとする。
次に処理Ｓ１５で新しいＮを書き換え回数表示手段１５を用いて表示する。次に処理Ｓ１６でリーダー１４を用いて光ディスク２の無線ＩＣチップ２１に新しいＮを書き換え回数として書き込み、処理を終了する。
【００２６】
なお、上記の処理Ｓ１２および処理Ｓ１５は書き換え回数Ｎを書き換え回数表示手段１５に表示する処理としたが、書き換え回数Ｎを光ディスクドライブ２の外部の機器へ通知する処理で代替しても良い。あるいは、両方の処理を行っても良い。
また、上記では書き換え回数の表示のみを行ったが、書き換え回数Ｎが所定の回数を越えていた場合に警告を発する処理や、書き換え処理を中止する処理を追加、あるいはこれらの処理で代替しても良い。
【００２７】
本実施例では、上記のように書き換え回数を表示したり、あるいは書き換え回数が所定の回数以上になった場合に警告を発したり、書き換え処理を中止することで、書き換えを開始する前に書き換えの失敗を防ぐように光ディスクを管理することが出来る。
【実施例２】
【００２８】
次に、本発明の第２の実施例を、図４、図５および図６を用いて説明する。
図４は本発明による光ディスクドライブと光ディスクの構成の第２の実施例を示すブロック図であり、図５は本発明による光ディスクに埋め込まれた無線ＩＣチップの構成の第２の実施例を示すブロック図であり、図６は本実施例で光ディスクドライブの制御手段が行う処理の一部を示すフローチャートである。
【００２９】
図４は、本発明による光ディスクドライブと光ディスクの構成の第２の実施例を示すブロック図であり、１は光ディスクドライブであり、２は光ディスクドライブ１に挿入された光ディスクであり、２１は光ディスク２に埋め込まれた無線ＩＣチップであり、１１は光ディスクドライブ１の動作を制御する制御手段であり、１１２はライトストラテジ制御手段であり、１１３はライトストラテジ制御テーブルであり、１２は光ディスク２を回転させるスピンドルモーターであり、１３は光ディスクに記録された情報を読み書きする光学ヘッド、サーボであり、１４は光ディスク２に埋め込まれた無線ＩＣチップに情報を読み書きするリーダーでる。
【００３０】
図５は本発明による光ディスクに埋め込まれた無線ＩＣチップの構成の第２の実施例を示すブロック図であり、２１は無線ＩＣチップであり、２１１は無線通信手段であり、２１２は記憶手段であり、２１４は記憶手段２１２内のライトストラテジ制御情報記憶領域である。
【００３１】
図６は本実施例の光ディスクの制御手段１１が行う処理の一部を示すフローチャートであり、Ｓ２１は処理であり、Ｓ２２は処理であり、Ｓ２３は処理であり、Ｓ２４は処理であり、Ｓ２５は処理である。
【００３２】
次に図４、図５および図６を用いて、本発明による光ディスクドライブの第２の実施例の動作を説明する。
まず図４を用いて光ディスクドライブ１の動作を説明する。図４の光ディスクドライブ１は、パソコンなど（図示せず）から読み書きの指示があると、制御手段１１がスピンドルモーター１２や光学ヘッド、サーボ１３を制御し、光ディスク２の内容を読み書きする。また、光ディスク２に書き込む際のライトストラテジは、ライトストラテジ制御手段１１２が、ライトストラテジ制御テーブル１１３に書き込まれた情報に基づいて制御する。ここまでの動作は、本発明によらない通常の光ディスクドライブと同じ動作である。
【００３３】
図４における本発明に特徴的な動作として、制御手段１１は、光ディスク２に埋め込まれた無線ＩＣチップ２１に記録されたライトストラテジ制御情報をリーダー１４を用いて読みだし、ライトストラテジ制御テーブル１１３に格納する。また、ライトストラテジ制御テーブル１１３にライトストラテジ制御情報が無い場合には、光ディスク２に書き込みの試行を行うことでライトストラテジ制御情報を算出し、ライトストラテジ制御テーブル１１３に格納する。
【００３４】
次に図５を用いて無線ＩＣチップ２１の動作を説明する。
無線ＩＣチップ２１は、無線通信手段２１１を用いてリーダー１４との間で無線通信を行い、リーダー１４から要求があると記憶手段２１２内のライトストラテジ制御情報記憶領域２１４に保存されたライトストラテジ制御情報を読み出し、無線通信手段２１１によってリーダー１４に送る。
また、リーダー１４からライトストラテジ制御情報が書き込まれた場合には、ライトストラテジ制御情報記憶領域２１４に保存する。
【００３５】
次に図６を用いて制御手段１１の動作を説明する。
制御手段１１は、本発明によらない通常の光ディスクドライブと同様に、スピンドルモーター１２や光ヘッド１３の動作を制御して光ディスクの読み書きの処理を行うとともに、以下に説明するライトストラテジ制御情報の管理処理も行う。
制御手段１１は、ライトストラテジ制御情報の管理処理として、図６のフローチャートの処理を行い、まず処理Ｓ２１でリーダー１４を用いて無線ＩＣチップ２１にライトストラテジ制御情報が保存されていることを確認する。
【００３６】
無線ＩＣチップ２１にライトストラテジ制御情報が保存されている場合には処理Ｓ２２に進み、ライトストラテジ制御情報が保存されていない場合には処理Ｓ２３に進む。処理Ｓ２２では、リーダー１４を用いて光ディスク２の無線ＩＣチップ２１からライトストラテジ制御情報を読み出し、処理Ｓ２５に進む。
処理Ｓ２３では、光ディスク２に書き込みの試行を行うことでライトストラテジ制御情報を算出し、処理Ｓ２４に進む。
次に処理Ｓ２４ではリーダー１４を用いて光ディスク２の無線ＩＣチップ２１にライトストラテジ制御情報を書き込み、処理Ｓ２５に進む。
【００３７】
処理Ｓ２５では、処理Ｓ２２で読み出したか、または処理Ｓ２３で算出したライトストラテジ制御情報をライトストラテジ制御テーブル１１３に格納し、処理を終了する。
以後、光ディスクドライブ１が光ディスク２に書き込みを行う際には、ライトストラテジ制御手段１１２がライトストラテジ制御テーブル１１３に格納されたライトストラテジ制御情報を元にライトストラテジを管理する。
本実施例では、上記のようにライトストラテジ制御情報を無線ＩＣチップ２１に保存することで、光ディスクへの書き込み前に行っていたライトストラテジの算出を１度だけで済ませることが出来る。
【実施例３】
【００３８】
次に、本発明の第３の実施例を、図７、図８、図９および図１０を用いて説明する。
図７は本発明による光ディスクドライブと光ディスクの構成の第３の実施例を示すブロック図であり、図８は本発明による光ディスクに埋め込まれた無線ＩＣチップの構成の第３の実施例を示すブロック図であり、図９は本実施例で光ディスクドライブの制御手段が行う処理の一部を示すフローチャートであり、図１０は本実施例で光ディスクドライブの制御手段が行う処理の別の一部を示すフローチャートである。
【００３９】
図７は、本発明による光ディスクドライブと光ディスクの構成の第３の実施例を示すブロック図であり、１は光ディスクドライブであり、２は光ディスクドライブ１に挿入された光ディスクであり、２１は光ディスク２に埋め込まれた無線ＩＣチップであり、１１は光ディスクドライブ１の動作を制御する制御手段であり、１１４はファイルアクセス制御手段であり、１１５はファイルアクセス管理情報テーブルであり、１２は光ディスク２を回転させるスピンドルモーターであり、１３は光ディスクに記録された情報を読み書きする光学ヘッド、サーボであり、１４は光ディスク２に埋め込まれた無線ＩＣチップに情報を読み書きするリーダーである。
【００４０】
図８は本発明による光ディスクに埋め込まれた無線ＩＣチップの構成の第３の実施例を示すブロック図であり、２１は無線ＩＣチップであり、２１１は無線通信手段であり、２１２は記憶手段であり、２１５は記憶手段２１２内のファイルアクセス管理情報記憶領域である。
【００４１】
図９は本実施例で光ディスクドライブの制御手段１１が行う処理の一部を示すフローチャートであり、Ｓ３１は処理であり、Ｓ３２は処理である。
【００４２】
図１０は本実施例で光ディスクドライブの制御手段１１が行う処理の別の一部を示すフローチャートであり、Ｓ４１は処理であり、Ｓ４２は処理である。
【００４３】
次に図７、図８、図９および図１０を用いて、本発明による光ディスクドライブの第３の実施例の動作を説明する。
まず図７を用いて光ディスクドライブ１の動作を説明する。図７の光ディスクドライブ１は、光ディスク２にファイルを読み書きする前に、まず光ディスク２に記録されたファイルアクセス管理情報を読み出し、ファイルアクセス管理情報テーブル１１５に格納する。前記ファイルアクセス管理情報には、ディスクボリュームの構造に関する情報やディスク面上のファイルの配置に関する情報などが含まれる。
【００４４】
光ディスクドライブ１に対してパソコンなど（図示せず）からファイルの読み書きの指示があると、制御手段１１はファイルアクセス管理情報テーブル１１５に格納されたファイルアクセス管理情報を元に目的のファイルの配置を特定し、スピンドルモーター１２や光学ヘッド、サーボ１３を制御し、光ディスク２へのファイルの読み書きを行う。また、その結果によってファイルアクセス管理情報テーブル１１５のファイルアクセス管理情報を更新し、光ディスク２に書き戻す。ここまでの動作は、本発明によらない通常の光ディスクドライブと同じ動作である。
【００４５】
図７における本発明に特徴的な動作として、制御手段１１は、光ディスク２からのファイルアクセス管理情報の読み出しに失敗した場合に、リーダー１４を用いて無線ＩＣチップ２１に記録されたファイルアクセス管理情報を読みだし、ファイルアクセス管理情報テーブル１１５に格納することを行う。また、ファイルアクセス管理情報に変更があった場合には、無線ＩＣチップ２１に記録されたファイルアクセス管理情報を更新する。
【００４６】
次に図８を用いて無線ＩＣチップ２１の動作を説明する。
無線ＩＣチップ２１は、無線通信手段２１１を用いてリーダー１４との間で無線通信を行い、リーダー１４から要求があると記憶手段２１２内のファイルアクセス管理情報記憶領域２１５に保存されたファイルアクセス管理情報を読み出し、無線通信手段２１１によってリーダー１４に送る。また、リーダー１４からファイルアクセス管理情報が書き込まれた場合には、ファイルアクセス管理情報記憶領域２１５に保存する。
【００４７】
次に図９および図１０を用いて制御手段１１の動作を説明する。制御手段１１は、本発明によらない通常の光ディスクドライブと同様に、スピンドルモーター１２や光ヘッド１３の動作を制御して光ディスクの読み書きの処理を行うとともに、以下に説明するファイルアクセス管理情報の管理処理も行う。
【００４８】
制御手段１１は、ファイルアクセス管理情報の管理処理として、図９のフローチャートの処理を行い、まず処理Ｓ３１で光ディスク２に記録されたファイルアクセス管理情報が読み出せ無くなる状況が発生するのを待ち受ける。光ディスク２からファイルアクセス管理情報が読み出せない場合には処理Ｓ３２に進み、リーダー１４を用いて無線ＩＣチップ２１からファイルアクセス管理情報を読み出し、ファイルアクセス管理情報テーブル１１５に格納する。
【００４９】
制御手段１１は、ファイルアクセス管理情報の管理処理として、さらに図１０のフローチャートの処理を行い、まず処理Ｓ４１でファイルアクセス管理情報テーブル１１５のファイルアクセス管理情報が更新されるのを待ち受ける。ファイルアクセス管理情報が更新されると処理Ｓ４２に進み、ファイルアクセス管理情報テーブル１１５のファイルアクセス管理情報を、リーダー１４を用いて無線ＩＣチップ２１のファイルアクセス管理情報記憶領域２１５に保存する。
【００５０】
本実施例では、上記のようにファイルアクセス管理情報を光ディスク２にだけでなく無線ＩＣチップ２１にも保存することで、表面に傷がつくなどして光ディスク２上のファイルアクセス管理情報が読みだせない場合でもファイルを読み書きできる。また、無線ＩＣチップ２１に保存されたファイルアクセス管理情報を元に、光ディスク２上のファイルアクセス管理情報の復旧を試みることも出来る。
【実施例４】
【００５１】
次に、本発明の第４の実施例を、図１１、図１２および図１３を用いて説明する。
図１１は本発明による光ディスクドライブと光ディスクの構成の第４の実施例を示すブロック図であり、図１２は本発明による光ディスクに埋め込まれた無線ＩＣチップの構成の第４の実施例を示すブロック図であり、図１３は本実施例で光ディスクドライブの制御手段が行う処理の一部を示すフローチャートである。
【００５２】
図１１は、本発明による光ディスクドライブと光ディスクの構成の第４の実施例を示すブロック図であり、１は光ディスクドライブであり、２は光ディスクドライブ１に挿入された光ディスクであり、２１は光ディスク２に埋め込まれた無線ＩＣチップであり、１１は光ディスクドライブ１の動作を制御する制御手段であり、１１６はディスク種別判別手段であり、１１７はディスク種別情報テーブルであり、１１８はスイッチであり、１２は光ディスク２を回転させるスピンドルモーターであり、１３は光ディスクに記録された情報を読み書きする光学ヘッド、サーボであり、１４は光ディスク２に埋め込まれた無線ＩＣチップに情報を読み書きするリーダーである。
【００５３】
図８は本発明による光ディスクに埋め込まれた無線ＩＣチップの構成の第４の実施例を示すブロック図であり、２１は無線ＩＣチップであり、２１１は無線通信手段であり、２１２は記憶手段であり、２１６は記憶手段２１２内のファイルアクセス管理情報記憶領域である。
【００５４】
図９は本実施例で光ディスクドライブの制御手段１１が行う処理の一部を示すフローチャートであり、Ｓ３１は処理であり、Ｓ３２は処理である。
【００５５】
図１０は本実施例で光ディスクドライブの制御手段１１が行う処理の別の一部を示すフローチャートであり、Ｓ４１は処理であり、Ｓ４２は処理である。
【００５６】
次に図１１、図１２および図１３を用いて、本発明による光ディスクドライブの第４の実施例の動作を説明する。
まず図１１を用いて光ディスクドライブ１の動作を説明する。図１１の光ディスクドライブ１は、パソコンなど（図示せず）から読み書きの指示があると、制御手段１１がスピンドルモーター１２や光学ヘッド、サーボ１３を制御し、光ディスク２の内容を読み書きする。その際、制御手段１１は、ディスク種別情報テーブル１１７にあるディスク種別情報に従い、制御の手順を切り替える。ディスク種別情報テーブル１１７に格納するディスク種別情報は、ディスク種別判別手段１１６が光ディスク２から読み出すことができる。この動作は、本発明によらない通常の光ディスクドライブと同じ動作である。
【００５７】
図１１における本発明に特徴的な動作として、制御手段１１は、スイッチ１１８をリーダー１４側に切り替え、無線ＩＣチップ２１からディスク種別情報を読み出し、ディスク種別情報テーブル１１７に格納する。
【００５８】
次に図１２を用いて無線ＩＣチップ２１の動作を説明する。
無線ＩＣチップ２１は、無線通信手段２１１を用いてリーダー１４との間で無線通信を行い、リーダー１４から要求があると記憶手段２１２内のディスク種別情報記憶領域２１６に保存されたディスク種別情報を読み出し、無線通信手段２１１によってリーダー１４に送る。ディスク種別情報記憶領域２１６へのディスク種別情報の書き込みは、光ディスク２を工場から出荷する際に行うことが出来るが、光ディスク２を使用する以前のどの時点で行っても良い。
【００５９】
次に図１３を用いて制御手段１１の動作を説明する。
制御手段１１は、本発明によらない通常の光ディスクドライブと同様に、スピンドルモーター１２や光ヘッド１３の動作を制御して光ディスクの読み書きの処理を行うとともに、以下に説明するディスク種別の管理処理も行う。
制御手段１１は、ディスク種別の管理処理として、図１３のフローチャートの処理を行い、まず処理Ｓ５１で光ディスク２の挿入を待ち受ける。光ディスク２が挿入されたならば処理Ｓ５２に進み、スイッチ１１８をリーダー１４側に切り替える。次に処理５３で、無線ＩＣチップ２１からディスク種別情報が読み出せることを確認する。処理５３でディスク種別情報を読み出せる場合には処理Ｓ５４に進み、読み出したディスク種別情報をディスク種別情報テーブル１１７に格納する。
【００６０】
処理５３でディスク種別情報を読み出せない場合には処理Ｓ５５に進み、スイッチ１１８をディスク種別判別手段１１６側に切り替える。
次に処理５６で、ディスク種別判別手段１１６により光ディスク上の情報を読み取り、光ディスク２のディスク種別を判別し、判別したディスク種別をディスク種別情報テーブル１１７に格納する。
【００６１】
本実施例によれば、光ディスク２上の情報を読み出してディスク種別を判別する場合、数十秒を要することがあるのに対し、無線ＩＣチップから読み出す場合には１秒未満で済むため、本実施例によればディスク種別情報の取得時間を短縮できる。
【産業上の利用可能性】
【００６２】
本発明は、ＣＤやＤＶＤなどの光ディスクの利便性を向上するものであり、本発明の実施で得られる利便性の向上は光ディスクの基本的な動作に関わるため、光ディスクを利用した全ての用途で効果が得られる。
また本発明の実施に必要な変更点は光ディスクと光ディスクドライブの内部に限られ、外部の機器に頼らずに実施できる。また、本発明によらない通常の光ディスクや光ディスクドライブと組み合わせて使用した場合でも、本発明による利便性の向上が得られないものの、通常の光ディスクや光ディスクドライブとして使用できるため、従来の機器と混在して使用することもできる。よって、光ディスク、光ディスクドライブを利用した従来のどの用途においても利用できる。
【図面の簡単な説明】
【００６３】
【図１】本発明による光ディスクドライブと光ディスクの構成の一実施例を示すブロック図である。
【図２】本発明による光ディスクに埋め込まれた無線ＩＣチップの構成の一実施例を示すブロック図である。
【図３】第１の実施例で光ディスクの制御手段が行う処理の一部を示すフローチャートである。
【図４】本発明による光ディスクドライブと光ディスクの構成の第２の実施例を示すブロック図である。
【図５】本発明による光ディスクに埋め込まれた無線ＩＣチップの構成の第２の実施例を示すブロック図である。
【図６】第２の実施例の光ディスクドライブの制御手段が行う処理の一部を示すフローチャートである。
【図７】本発明による光ディスクドライブと光ディスクの構成の第３の実施例を示すブロック図である。
【図８】本発明による光ディスクに埋め込まれた無線ＩＣチップの構成の第３の実施例を示すブロック図である。
【図９】第３の実施例の光ディスクドライブの制御手段が行う処理の一部を示すフローチャートである。
【図１０】第３の実施例の光ディスクドライブの制御手段が行う処理の一部を示すフローチャートである。
【図１１】本発明による光ディスクドライブと光ディスクの構成の第４の実施例を示すブロック図である。
【図１２】本発明による光ディスクに埋め込まれた無線ＩＣチップの構成の第４の実施例を示すブロック図である。
【図１３】第２の実施例の光ディスクドライブの制御手段が行う処理の一部を示すフローチャートである。
【符号の説明】
【００６４】
１...光ディスクドライブ
１１...制御手段
１２...スピンドルモーター
１３...光ヘッド
１４...リーダー
１５...書き換え回数表示手段
１１１...書き換え回数インクリメント手段
１１２...ライトストラテジ制御手段
１１３...ライトストラテジ制御情報テーブル
１１４...ファイルアクセス制御手段
１１５...ファイルアクセス管理情報テーブル
１１６...ディスク種別判別手段
１１７...ディスク種別管理情報テーブル
１１８...スイッチ
２...光ディスク
２１...無線ＩＣチップ
２１１...通信手段
２１２...記憶手段
２１３...書き換え回数記憶領域
２１４...ライトストラテジ制御情報記憶領域
２１５...ファイルアクセス管理情報記憶領域
２１６...ディスク種別情報記憶領域
Ｓ１１...処理、Ｓ１２...処理、Ｓ１３...処理、Ｓ１４...処理、Ｓ１５...処理、
Ｓ１６...処理、Ｓ２１...処理、Ｓ２２...処理、Ｓ２３...処理、Ｓ２４...処理、
Ｓ２５...処理、Ｓ３１...処理、Ｓ３２...処理、Ｓ４１...処理、Ｓ４２...処理、
Ｓ５１...処理、Ｓ５２...処理、Ｓ５３...処理、Ｓ５４...処理、Ｓ５５...処理、
Ｓ５６...処理
【図１】
2007018634.tif 000003
【図２】
2007018634.tif 000004
【図３】
2007018634.tif 000005
【図４】
2007018634.tif 000006
【図５】
2007018634.tif 000007
【図６】
2007018634.tif 000008
【図７】
2007018634.tif 000009
【図８】
2007018634.tif 000010
【図９】
2007018634.tif 000011
【図１０】
2007018634.tif 000012
【図１１】
2007018634.tif 000013
【図１２】
2007018634.tif 000014
【図１３】
2007018634.tif 000015